(57)【特許請求の範囲】
【請求項１】
回転により内部の被処理物に打撃力を与えて前記被処理物を内容物と前記内容物を被覆する被覆物とに破砕するドラムと、前記ドラムの周面に設置され前記ドラムの回転により内部の前記被処理物を移送するスクレーパーとを備え、前記内容物を前記ドラムの周面に形成された排出口から外部へ排出して前記被処理物を前記内容物と前記被覆物とに分離する被処理物の分離装置であって、更に前記スクレーパーを前記ドラムの内側に向けて進退させるスクレーパー進退手段を有し、前記スクレーパー進退手段は、前記スクレーパーを前記ドラムの内外へ進退自在に支持するスクレーパー支持部と、前記ドラムの外周側の一部の区間にのみ設置されて前記スクレーパーを前記ドラムの内側に向けて付勢するブレードとを有し、前記スクレーパーは、前記ブレードが設置されている区間においては前記ドラムの内側に押し出されて前記ドラムの内周面から強制的に突出し、他の区間においては前記ブレードによる強制力から開放された前記スクレーパー支持部による自由な支持状態で前記ドラムの内側への進退が許容されていることを特徴とする被処理物の分離装置。
【請求項２】
請求項１に記載された被処理物の分離装置であって、前記ブレードは、前記ドラムの最下端から前記被処理物を落下させずに上方に移送できる位置までの移送区間において設置され、前記スクレーパーは、前記移送区間においては前記ブレードにより前記ドラムの内周面から強制的に突出して被処理物を上方へ移送し、前記移送区間の終端から前記ドラムの水平方向に延びる中心線までの落下許容区間においては前記ブレードによる強制力から開放された自由な支持状態で前記ドラムの内周面から突出又は退避して前記被処理物の落下を許容し、前記落下許容区間の終端である前記ドラムの水平方向の中心線から前記ドラムの最下端までの排出区間においては前記ブレードによる強制力から開放された自由な支持状態で前記ドラムの内周面から一時的に退避して前記内容物の排出及び前記被覆物の移送を許容することを特徴とする被処理物の分離装置。
【請求項３】
請求項１又は請求項２のいずれかに記載された被処理物の分離装置であって、前記ブレードは、前記ブレードの始端においては前記ドラムの外周面との間に前記外周面側に突出している前記スクレーパーを受け入れることができる程度の距離を有し、前記ブレードの始端から終端にかけて前記ドラムの外周面との間の距離が次第に狭小になるように設置されていることを特徴とする被処理物の分離装置。
【請求項４】
請求項１乃至請求項３のいずれかに記載された被処理物の分離装置であって、前記排出口に目詰まりした物体を前記ドラム内部へ押し戻す目詰まり解消手段を更に有し、前記目詰まり解消手段は、前記排出口へ進退自在に設置されたブッシュと、前記ブッシュを前記排出口へ押し出すように付勢するブッシュブレードとを備えていることを特徴とする被処理物の分離装置。
【請求項５】
請求項４に記載された被処理物の分離装置であって、前記目詰まり解消手段は、前記ドラムの外周面に取り付けられ前記ブッシュを揺動可能に支持するヒンジを有し、前記ブッシュは、前記ブッシュブレードが形成された区間においては前記ブッシュブレードに付勢されたヒンジの揺動により前記排出口へ押し出されることを特徴とする被処理物の分離装置。
【請求項６】
請求項５に記載された被処理物の分離装置であって、前記ヒンジは、前記ブッシュを前記排出口から離反するようにばね付勢し、前記ブッシュブレードは、前記ヒンジによる付勢力に抗して前記ブッシュを揺動させて前記排出口へ押し出すことを特徴とする被処理物の分離装置。
【請求項７】
請求項１乃至請求項６のいずれかに記載された被処理物の分離装置であって、前記スクレーパー支持部は、前記ドラムの周面に形成され前記スクレーパーが摺動自在に貫通する摺動孔であって、前記スクレーパーは、前記ブレードが形成された前記移送区間においては前記ブレードにより前記ドラムの内側に押し出されて前記ドラムの内周面から強制的に突出し、他の区間においては重力に応じた自由状態で前記ドラムの内側への進退が許容されていることを特徴とする被処理物の分離装置。
【請求項８】
請求項７に記載された被処理物の分離装置であって、前記スクレーパーは、進退方向の両端に前記ドラムの周面に係止する抜け止めが形成されていることを特徴とする被処理物の分離装置。
【請求項９】
請求項８に記載された被処理物の分離装置であって、前記スクレーパー支持部は、前記スクレーパーの進退方向の両端に形成された抜け止めの間に設置され通常では前記スクレーパーを前記ドラムの外周面から離反するように付勢するばねを更に有し、前記ブレードは、前記ばねの付勢力に抗して前記スクレーパーを前記ドラムの内周面から強制的に突出させることを特徴とする被処理物の分離装置。
【請求項１０】
請求項７乃至請求項９のいずれかに記載された被処理物の分離装置であって、前記スクレーパーの前記ドラムの外周側の端部には前記排出口に進退可能なブッシュが取り付けられ、前記ブレードが前記ブッシュブレードを兼任し、前記ブレードが存在する区間においては、前記ブレードにより、前記ドラムの前記摺動孔からは前記スクレーパーが、前記排出口からは前記ブッシュが、それぞれ前記ドラムの内側に突出することを特徴とする被処理物の分離装置。
【請求項１１】
請求項１乃至請求項６のいずれかに記載された被処理物の分離装置であって、前記スクレーパー支持部は、前記ドラムの外周面に取り付けられ前記スクレーパーを揺動可能に支持するヒンジから成り、前記スクレーパーは、前記ブレードが形成された前記移送区間においては前記ブレードにより揺動して前記ドラムの周面に形成された突出孔を介して前記ドラムの内側に押し出されて前記ドラムの内周面から強制的に突出し、他の区間においては重力に応じた自由状態で前記ドラムの内側への進退が許容されていることを特徴とする被処理物の分離装置。
【請求項１２】
請求項１１に記載された被処理物の分離装置であって、前記ヒンジは、前記スクレーパーを前記ドラムの周面に形成された突出孔から離反するようにばね付勢し、前記ブレードは、前記ヒンジによる付勢力に抗して前記スクレーパーを揺動させて前記突出孔を介して前記ドラムの内周面から強制的に突出することを特徴とする被処理物の分離装置。
【請求項１３】
請求項１１又は請求項１２のいずれかに記載された被処理物の分離装置であって、前記スクレーパーは前記ブッシュを介して前記ヒンジに取り付けられて、前記ブレードが前記ブッシュブレードを兼任すると共に前記排出口が前記突出孔を兼任し、前記ブレードが存在する区間においては、前記ブレードにより、前記排出口から前記スクレーパー及び前記ブッシュが前記ドラムの内側に突出することを特徴とする被処理物の分離装置。
【請求項１４】
請求項１乃至請求項６のいずれかに記載された被処理物の分離装置であって、前記スクレーパー支持部は、前記ドラムの内周面に取り付けられ前記スクレーパーを前記ドラムの内周面側において揺動可能に支持するヒンジから成り、前記ブッシュは、前記ドラムの外周面に取り付けられた前記ヒンジにより揺動可能に支持されて、前記ブレードが前記ブッシュブレードを兼任すると共に前記排出口が前記突出孔を兼任し、前記スクレーパーは、前記ブレードが形成された前記移送区間においては前記ブレードにより前記排出口に押し出された前記ブッシュを介して、前記ドラムの内周面から強制的に突出することを特徴とする被処理物の分離装置。
【請求項１５】
請求項１乃至請求項６のいずれかに記載された被処理物の分離装置であって、前記スクレーパー支持部は、前記ドラムの内周面に取り付けられ前記スクレーパーを前記ドラムの内周面側において揺動可能に支持するヒンジと前記スクレーパーの側面に取り付けられ前記ドラムの外側へ突出する立脚ガイドとから成り、前記ブレードは、前記立脚ガイドに当接することにより前記スクレーパーを立脚させて前記ドラムの内周面から強制的に突出させることを特徴とする被処理物の分離装置。
【発明の詳細な説明】
【０００１】
【発明の属する技術分野】
本発明は、例えば、飲料等が収容された段ボール等の被処理物を破砕して、内容物である飲料と被覆物である段ボールとを分離回収する被処理物の分離装置の改良に関するものである。
【０００２】
【従来の技術】
一般に、内容物を梱包した状態の梱包品においては、その内容物と、内容物を梱包する被覆物との性質が異なるために、また、場合によっては内容物と被覆物との再利用の用途等が異なるために、まとめて廃棄することが好ましくなく、廃棄の前提として、内容物と被覆物とを分離することが必要となる場合がある。
【０００３】
この場合、手作業では分離作業の効率化を望めないことから、内部に破砕片や移送片（スクレーパー）を有する回転ドラム内に、上記の梱包物を投入して被覆物である段ボール等を破砕片や回転による打撃力により破砕して、内容物をドラムに形成された排出口から排出することにより、内容物を分離することが考えられる。具体的には、ドラム内に投入された梱包物をスクレーパーにより上方に移送し、遠心力に抗して自重により下方に落下させることにより、落下の衝撃によって被覆物である段ボールを破砕することが考えられる。
【０００４】
このような分離装置として適用しうる従来技術は、一般に破砕や移送の効率を向上するため、回転ドラムの内周の全周にわたって破砕片やスクレーパーが設けられていることが多かった（例えば、特許文献１及び特許文献２参照）。
【０００５】
しかし、内容物を梱包した梱包品の場合、段ボール等の被覆物と分離すべき内容物が、缶入り飲料やＰＥＴボトルのような比較的打撃に強い物体であるとは必ずしも限らず、場合によっては、例えば、牛乳等のような紙パックやビニールパック等に収納された製品である場合も多い。このため、従来技術のように、スクレーパー等がドラムの内周面の全周にわたって形成されていると、紙パック製品等をドラム内で上方から落下させた場合、落下地点に位置するスクレーパーによって、これらの紙パック製品等が切り裂かれてしまい、適切に分離処理を行うことが困難である問題があった。
【０００６】
また、排出口が破砕された被覆物その他によって目詰まりしている場合、内容物を効率良くドラム外部へ排出することができず、円滑な分離作業に支障が生ずるおそれがあった。この場合、従来は目詰まり除去ブラシ等により異物を除去することが行われていたが、その作業に手間を要していた問題があった。
【０００７】
【特許文献１】
特開平６−３２４０３号公報
【特許文献２】
特開昭６２−３３５５９号公報
【０００８】
【発明が解決しようとする課題】
本発明が解決しようとする課題は、上記の問題点に鑑み、内容物への衝撃を簡易に低減して、紙パック製品やビニールパック製品等の比較的衝撃に弱い内容物を収納する梱包品を処理する場合であっても、内容物を適切に処理することができると共に、排出口の目詰まりを簡易に効率良く回収することができる被処理物の分離装置を提供することにある。
【０００９】
【課題を解決するための手段】
本発明は、上記の課題を解決するための第１の手段として、回転により内部の被処理物に打撃力を与えて被処理物を内容物と内容物を被覆する被覆物とに破砕するドラムと、このドラムの周面に設置されドラムの回転により内部の被処理物を移送するスクレーパーとを備え、内容物をドラムの周面に形成された排出口から外部へ排出して被処理物を内容物と被覆物とに分離する被処理物の分離装置であって、更にスクレーパーをドラムの内側に向けて進退させるスクレーパー進退手段を有し、このスクレーパー進退手段は、スクレーパーをドラムの内外へ進退自在に支持するスクレーパー支持部と、ドラムの外周側の一部の区間にのみ設置されてスクレーパーをドラムの内側に向けて付勢するブレードとを有し、スクレーパーは、ブレードが設置されている区間においてはドラムの内側に押し出されてドラムの内周面から強制的に突出し、他の区間においてはブレードによる強制力から開放されたスクレーパー支持部による自由な支持状態でドラムの内側への進退が許容されていることを特徴とする被処理物の分離装置を提供するものである。
【００１０】
このように、スクレーパーを、被処理物の上方への移送が必要な区間においてのみ突出して機能させ、その他の区間では、被処理物の落下や内容物の排出に支障のない位置に配置させると、スクレーパーが不必要に内容物に衝撃を与えて内容物を損傷させることがなく、従って、内容物を適切な状態で回収することができると共に、内容物が排出口に入り易くなり、内容物を円滑にかつ確実に回収することができる。
【００１１】
本発明は上記の課題を解決するための第２の手段として、上記第１の解決手段において、ブレードは、ドラムの最下端から被処理物を落下させずに上方に移送できる位置までの移送区間において設置され、スクレーパーは、この移送区間においてはブレードによりドラムの内周面から強制的に突出して被処理物を上方へ移送し、移送区間の終端からドラムの水平方向に延びる中心線までの落下許容区間においてはブレードによる強制力から開放された自由な支持状態でドラムの内周面から突出又は退避して被処理物の落下を許容し、この落下許容区間の終端であるドラムの水平方向の中心線からドラムの最下端までの排出区間においてはブレードによる強制力から開放された自由な支持状態でドラムの内周面から一時的に退避して内容物の排出及び被覆物の移送を許容することを特徴とする被処理物の分離装置を提供するものである。
【００１２】
このように、スクレーパーを適切に変位させて、いわば、１つのドラムの内部を、移送、落下許容、排出許容に機能的に３分割すると、被処理物である梱包物を確実に上方へ移送して落下させることができると同時に、特に、内容物のドラム内の上方からの落下地点である排出区間においてはスクレーパーがドラム内部に突出していないため、内容物に不必要に衝撃を与えることがなく、内容物を排出口から確実にかつ適切に排出して回収することができる。
【００１３】
本発明は上記の課題を解決するための第３の手段として、上記第１又は第２のいずれかの解決手段において、ブレードは、ブレードの始端においてはドラムの外周面との間に外周面側に突出しているスクレーパーを受け入れることができる程度の距離を有し、ブレードの始端から終端にかけてドラムの外周面との間の距離が次第に狭小になるように設置されていることを特徴とする被処理物の分離装置を提供するものである。
【００１４】
このように、スクレーパーを押し出すブレードと外周面との距離を次第に狭小にすると、ドラム外部に突出していたスクレーパーがドラムの回転によりブレードの始端にさしかかった場合に、円滑に突出を開始することができると同時に、スクレーパーの突出量が次第に増加して被処理物の上方への移送をより確実に行うことができる。
【００１５】
本発明は、上記の課題を解決するための第４の手段として、上記第１乃至第３のいずれかの解決手段において、排出口に目詰まりした物体をドラム内部へ押し戻す目詰まり解消手段を更に有し、この目詰まり解消手段は、排出口へ進退自在に設置されたブッシュと、ブッシュを排出口へ押し出すように付勢するブッシュブレードとを備えていることを特徴とする被処理物の分離装置を提供するものである。
【００１６】
このように、ブッシュを排出口へ押し出すと、排出口に詰まっていた異物がドラム内に押し戻されるため、排出口の目詰まりが解消され、内容物を排出口から確実に排出して効率よく回収することができる。より具体的には、例えば、次の第５及び第６の解決手段により達成することができる。
【００１７】
即ち、本発明は上記の課題を解決するために第５の手段として、上記第４の解決手段において、目詰まり解消手段は、ドラムの外周面に取り付けられブッシュを揺動可能に支持するヒンジを有し、ブッシュは、ブッシュブレードが形成された区間においては、ブッシュブレードに付勢されたヒンジの揺動により排出口へ押し出されることを特徴とする被処理物の分離装置を提供するものである。
【００１８】
本発明は、上記の課題を解決するための第６の手段として、上記第５の解決手段において、ヒンジは、ブッシュを排出口から離反するようにばね付勢し、ブッシュブレードは、ヒンジによる付勢力に抗してブッシュを揺動させて排出口へ押し出すことを特徴とする被処理物の分離装置を提供するものである。
【００１９】
以上の第１乃至第６の解決手段は、より具体的には、以下の解決手段により達成することができる。即ち、本発明は、上記の課題を解決するための第７の手段として、上記第１乃至第６のいずれかの解決手段において、スクレーパー支持部は、ドラムの周面に形成されスクレーパーが摺動自在に貫通する摺動孔であって、スクレーパーは、ブレードが形成された移送区間においてはブレードによりドラムの内側に押し出されてドラムの内周面から強制的に突出し、他の区間においては重力に応じた自由状態でドラムの内側への進退が許容されていることを特徴とする被処理物の分離装置を提供するものである。
【００２０】
このように、スクレーパーを、ドラムに進退自在に取付け、ブレードが存在する区間においてはドラムの内側へ突出させると被処理物を確実に上方まで移送することができると共に、被処理物も落下を始める上方の地点では、ブレードから開放されて自重によりスクレーパーに鉛直方向に加わる荷重がドラムの内周方向に働きスクレーパーがドラムの内部に突出しても被処理物の落下を悪影響なく許容することができ、更には、鉛直方向に加わるスクレーパーの自重がドラムの外周方向に働き始める地点からは、スクレーパーがドラムの内周面から退避して、分離された内容物の落下地点においては存在しないため、内容物に不必要に衝撃を与えることなく、内容物を適切に回収することができる。
【００２１】
本発明は上記の課題を解決するための第８の手段として、上記第７の解決手段において、スクレーパーは、進退方向の両端にドラムの周面に係止する抜け止めが形成されていることを特徴とする被処理物の分離装置を提供するものである。
【００２２】
このようにスクレーパーに抜け止めを形成すると、摺動するスクレーパーの脱落を防止することができる。
【００２３】
本発明は上記の課題を解決するための第９の手段として、上記第８の解決手段において、スクレーパー支持部は、スクレーパーの進退方向の両端に形成された抜け止めの間に設置され通常ではスクレーパーをドラムの外周面から離反するように付勢するばねを更に有し、ブレードは、このばねの付勢力に抗してスクレーパーをドラムの内周面から強制的に突出させることを特徴とする被処理物の分離装置を提供するものである。
【００２４】
このようにスクレーパーをドラムの外周面から離反するように付勢すると、内容物の落下地点である排出区間において、スクレーパーをドラムの内部からより一層確実に退避させて、内容物を適切に回収することができる。
【００２５】
本発明は上記の課題を解決するための第１０の手段として、上記第７乃至第９のいずれかの解決手段において、スクレーパーのドラムの外周側の端部には排出口に進退可能なブッシュが取り付けられ、ブレードがブッシュブレードを兼任し、ブレードが存在する区間においては、ブレードにより、ドラムの摺動孔からはスクレーパーが、排出口からはブッシュが、それぞれドラムの内側に突出することを特徴とする被処理物の分離装置を提供するものである。
【００２６】
このように、スクレーパー進退手段と目詰まり解消手段とを結合すると、少ない部品点数で簡易に、内容物の適切で効率的な回収を達成することができる。
【００２７】
また、本発明は上記の課題を解決するための第１１の手段として、上記第１乃至第６のいずれかの解決手段において、スクレーパー支持部は、ドラムの外周面に取り付けられスクレーパーを揺動可能に支持するヒンジから成り、スクレーパーは、ブレードが形成された移送区間においてはブレードにより揺動してドラムの周面に形成された突出孔を介してドラムの内側に押し出されてドラムの内周面から強制的に突出し、他の区間においては重力に応じた自由状態でドラムの内側への進退が許容されていることを特徴とする被処理物の分離装置を提供するものである。
【００２８】
本発明は上記の課題を解決するための第１２の手段として、上記第１１の解決手段において、ヒンジは、スクレーパーをドラムの周面に形成された突出孔から離反するようにばね付勢し、ブレードは、ヒンジによる付勢力に抗してスクレーパーを揺動させて突出孔を介してドラムの内周面から強制的に突出することを特徴とする被処理物の分離装置を提供するものである。
【００２９】
このように、スクレーパーをドラム内部に突出しない方向に付勢すると、ブレードによる強制力から開放された後は、スクレーパーをより一層確実にドラムの内部から退避させることができる。
【００３０】
本発明は上記の課題を解決するための第１３の手段として、上記第１１又は第１２のいずれかの解決手段において、スクレーパーはブッシュを介してヒンジに取り付けられて、ブレードがブッシュブレードを兼任すると共に排出口が突出孔を兼任し、ブレードが存在する区間においては、ブレードにより、排出口からスクレーパー及びブッシュがドラムの内側に突出することを特徴とする被処理物の分離装置を提供するものである。
【００３１】
更に、本発明は上記の課題を解決するための第１４の手段として、上記第１乃至第６のいずれかの解決手段において、スクレーパー支持部は、ドラムの内周面に取り付けられスクレーパーをドラムの内周面側において揺動可能に支持するヒンジから成り、ブッシュは、ドラムの外周面に取り付けられたヒンジにより揺動可能に支持されて、ブレードがブッシュブレードを兼任すると共に排出口が突出孔を兼任し、スクレーパーは、ブレードが形成された移送区間においてはブレードにより排出口に押し出されたブッシュを介して、ドラムの内周面から強制的に突出することを特徴とする被処理物の分離装置を提供するものである。
【００３２】
加えて、本発明は上記の課題を解決するための第１５の手段として、上記第１乃至第６のいずれかの解決手段において、スクレーパー支持部は、ドラムの内周面に取り付けられスクレーパーをドラムの内周面側において揺動可能に支持するヒンジとスクレーパーの側面に取り付けられドラムの外側へ突出する立脚ガイドとから成り、ブレードは、立脚ガイドに当接することによりスクレーパーを立脚させてドラムの内周面から強制的に突出させることを特徴とする被処理物の分離装置を提供するものである。
【００３３】
【発明の実施の形態】
本発明の実施の形態を図面を参照しながら詳細に説明すると、図１は本発明の被処理物の分離装置１０を示し、この分離装置１０は、図１及び図２に示すように、フレーム１２と、このフレーム１２に回転自在に支持されたドラム１４と、このドラム１４の周面に設置されたスクレーパー１６とを備えを備えている。ドラム１４は、図１及び図２に示すように、フレーム１２に取り付けられモーターにより回転するチェーン１８と、ドラム１４の端部に形成され、このチェーン１８に噛み合うスプロケット１４ａにより、回転することができる。なお、図１において、符号２０は分離すべき被処理物をドラム１４内へ投入するホッパー、符号２２は後述するドラム１４に形成された排出口２４から排出された内容物を回収する回収口を示す。
【００３４】
ドラム１４には、図１及び図２に示すように、その周面に内容物を排出する排出口２４が形成されている。一方、スクレーパー１６は、図２の矢印Ａに示すように、ドラム１４の回転により内部の被処理物を上方へ向けて移送する。従って、スクレーパー１６により上方に移送された被処理物は、ドラム１４内の上方で、図２の矢印Ｂに示すように、回転による遠心力に抗して自重により下方に落下し、この移送、落下により与えられる打撃力（衝撃）によって破砕され、破砕後は、図２の矢印Ｃに示すように、内容物は排出口２４を介してドラムの外へ排出される一方、残存した被覆物は引き続きスクレーパー１６の回転により移送されつつ、次第にドラム１４の軸線方向に移送されて、内容物と被覆物とに分離される。内容物は、この排出区間（図２のＣ区間参照）から排出されて、まとめて回収口２２から回収される。
【００３５】
従って、排出口２４は、内容物は通過することができるが、被覆物は通過することができない大きさに設定する。なお、このような内容物としては、例えば、缶入り飲料やＰＥＴボトル入り飲料等の比較的衝撃に強いもののみならず、特に本発明では、更に、紙パック製品やビニールパック製品等にも適用することができる。また、被覆物としては、これらの内容物を梱包する段ボール等を挙げることができる。また、スクレーパー１６は、図２に示すように、この排出口２４の間に設置され、被処理物や被覆物をドラム１４の軸線方向にも移送するため、ドラム１２の軸線方向に若干傾斜して配置される。
【００３６】
本発明の分離装置１０は、図２乃至図５に示すように、更にスクレーパー１６をドラム１４の内側に向けて進退させるスクレーパー進退手段２６を有している。このスクレーパー進退手段２６は、図２及び図３に示すように、スクレーパー１６をドラム１４の内外へ進退自在に支持するスクレーパー支持部２８と、ドラム１４の外周側の一部の区間にのみ設置されてスクレーパー１６をドラム１４の内側に向けて付勢するブレード３０とを有している。
【００３７】
スクレーパー１６は、図２及び特に図３に示すように、ブレード３０が設置されている移送区間（図２のＡ区間参照）においては、ドラム１４の内側に押し出されてドラム１４の内周面から強制的に突出し、他の区間においてはブレード３０による強制力から開放されたスクレーパー支持部２８による自由な支持状態でドラム１４の内側への進退が許容されている。
【００３８】
より具体的には、スクレーパー支持部２８は、図３乃至図５に示す実施の形態では、ドラム１４の周面に形成されスクレーパー１６が摺動自在に貫通する摺動孔３２であるのが示されている。従って、スクレーパー１６は、強制力が働かない自由状態では、自重に応じて自然に摺動孔３２内を摺動することができる。
【００３９】
一方、ブレード３０は、図２及び図３に示すように、ドラム１４の最下端からドラム１２の回転方向（図２の矢印Ｘ参照）に向かって被処理物を落下させずに上方に移送できる位置までの移送区間（図２のＡ区間参照）においてのみ設置されている。従って、スクレーパー１６は、この移送区間（図２のＡ区間）においては、図２及び図３に示すように、スクレーパー１６の端部がブレード３０に当接することにより、ドラム１４の内側へ摺動しながらブレード３０によりドラム１４の内側に押し出されて、ドラム１４の内周面から強制的に突出して、被処理物を上方へ移送するスクレーパー１６の本来の機能を適切に発揮することができる。
【００４０】
なお、ブレード３０は、図３に示すように、ブレード３０の始端においてはドラム１４の外周面との間に外周面側に突出しているスクレーパー１６を受け入れることができる程度の距離を有し、ブレード３０の始端から終端にかけてドラム１４の外周面との間の距離が次第に狭小になるように設置されている。これにより、図３に示すように、ドラム１４外部に突出していたスクレーパー１６がドラム１４の回転によりブレード３０の始端にさしかかった場合に、円滑に突出を開始することができると同時に、スクレーパー１６の突出量が次第に増加して被処理物の上方への移送をより確実に行うことができる。
【００４１】
一方、スクレーパー１６は、ドラム１４の回転により、ブレード３０が存在しなくなる移送区間（図２のＡ区間）の終端からドラム１４の水平方向に延びる中心線（図２の点線Ｃ参照）までの落下許容区間（図２のＢ区間）に到達すると、この落下許容区間（図２のＢ区間）においては、ブレード３０による強制力から開放されて自由な支持状態となり、自重によりスクレーパー１６に鉛直方向に加わる荷重がドラム１４の内側方向に働くため、図２に示すように、摺動孔３２内をドラム１４の内部に向けてスクレーパー１６が自然に摺動して、ドラム１４の内部に突出する。この場合、この落下許容区間（図２のＢ区間）は、ドラムの上方であり、被処理物も、図２の矢印Ｂに示すように、既に落下を始めているため、スクレーパー１６がドラム１４内部に突出していても、被処理物の落下を悪影響なく許容することができる。
【００４２】
更に、スクレーパー１６は、ドラム１４の回転により、この落下許容区間（図２のＢ区間）の終端であるドラム１４の水平方向の中心線（図２の点線Ｃ参照）からドラム１４の最下端までの排出区間（図２のＣ区間）に到達すると、この排出区間（図２のＣ区間）においては、鉛直方向に加わるスクレーパー１６の自重がドラム１４の外周方向に働き始めるため、図２に示すように、摺動孔３２内をドラム１４の外部に向けて自然に摺動して、ドラム１４の内周面から一時的に退避する。即ち、スクレーパー１６は、この排出区間（図２のＣ区間）においては、ドラム１４の内周面には存在しない。この場合、この排出区間（図２のＣ区間）は、スクレーパー１６によりドラム１４内部の上方へ移送された被処理物（内容物及び被覆物）が上方から落下する地点であるが、スクレーパー１６が、ドラム１４の内周面に突出していないため、図２の矢印Ｂに示すように、落下してきた内容物に衝突等して不必要に衝撃を与えることなく、図２の矢印Ｃに示すように、内容物を排出口２４から円滑に排出することを許容して内容物を適切に回収することができる。
【００４３】
なお、スクレーパー１６は、ドラム１４の回転により再び移送区間（図２のＡ区間）に到達した場合には、ブレード３０により、再度ドラム１４内へ突出し、以後同様の動作を繰り返す。即ち、本発明においては、１つのスクレーパー１６をドラム１４の回転による位置に応じて適切に変位させて、いわば、１つのドラム１４の内部を、移送、落下許容、排出許容に機能的に３分割している。なお、スクレーパー１６は、上記のように、摺動孔３２内を自重により自然に摺動するため、簡易な構成とすることができるが、一方で、スクレーパー１６のドラム１４からの脱落を防止するため、特に図４及び図５に示すように、スクレーパー１６の進退方向の両端には、ドラム１４の周面に係止する抜け止め３４が形成されている。この抜け止め３４の長さは、少なくとも、排出口２４の直径よりも大きく設定する。
【００４４】
なお、スクレーパー支持部２８は、上記の実施の形態では、摺動孔３２のみであったが、必ずしもこれに限定されるものではなく、図４に示すように、更にスクレーパー１６の進退方向の両端に形成された抜け止め３４の間に設置され通常ではスクレーパー１６をドラム１４の外周面から離反するように付勢するばね３６を有する形態とすることもできる。
【００４５】
この図４に示す実施の形態では、ブレード３０は、このばね３６の付勢力に抗してスクレーパー１６をドラム１４の内周面から強制的に突出させ、その他の区間、特に、内容物の落下地点である排出区間（図２のＣ区間参照）においては、スクレーパー１６をドラム１４の内部から、より一層確実に退避させて、内容物を適切に回収することができる。
【００４６】
また、本発明の分離装置１０は、図５に示すように、排出口２４に目詰まりした物体をドラム１４内部へ押し戻す目詰まり解消手段３８を更に有している。この目詰まり解消手段３８は、排出口２４へ進退自在に設置されたブッシュ４０と、このブッシュ４０を排出口２４へ押し出すように付勢するブッシュブレード４２とを備えている。
【００４７】
図５に示す実施の形態では、ブッシュ４０は、スクレーパー１６のドラム１４の外周側の端部に、排出口２４に進退可能に取り付けられている。即ち、この図５に示す実施の形態では、スクレーパー１６の進退のためのブレード３０がブッシュブレード４０をも兼任し、ブッシュ４０は、ブレード３０が存在する移送区間（図２のＡ区間）において、スクレーパー１６と共に、ドラム１４内へ向けて付勢され、ブレード３０により、ドラム１４の摺動孔３２からはスクレーパー１６が、排出口２４からはブッシュ４０が、それぞれドラム１４の内側に突出する。
【００４８】
従って、ブッシュ４０は、スクレーパー１６がドラム１４内部に突出したときに、排出口２４に適切に押し出されるように、スクレーパー１６との相対的な関係も考慮した上で、その設置位置が調整される。この場合、具体的には、図５に示すように、ブッシュ４０は、座金４４を介してスクレーパー１６に取り付けられると共に、その位置が決定されている。
【００４９】
これにより、排出口２４へ押し出されたブッシュ４０が、排出口２４に詰まっていた異物をドラム１４内に押し戻すため、排出口２４の目詰まりが解消され、内容物を排出口２４から確実に排出して効率よく回収することができる。尚、図５に示す実施の形態のように、スクレーパー進退手段２６と目詰まり解消手段３８とを結合すると、少ない部品点数で簡易に、内容物の適切で効率的な回収を達成することができる。
【００５０】
但し、目詰まり解消手段３８は、必ずしも、スクレーパー進退手段２６と結合又は一体化することなく、独立して設定することもできる。具体的には、図６に示すように、目詰まり解消手段３８に、ドラムの外周面に取り付けられブッシュを揺動可能に支持するヒンジ４６を更に設け、ブッシュ４０は、ブレード３０（ブッシュブレード４２）が形成された移送区間（図２のＡ区間）においては、ブレード３０（ブッシュブレード４２）により、ブレード３０に当接するヒンジ４６の付勢力により揺動して排出口２４へ押し出されるように設定することもできる。この場合、落下許容区間（図２のＢ区間）においても、ブッシュブレード４２を設置して、被処理物と共に異物を除去することもできる。この場合、内容物はドラム１４の回転による遠心力に抗して自重で排出区間（図２のＣ区間）に落下して、この排出区間（図２のＣ区間）からドラム１４の外部に排出されるため、落下許容区間（図２のＢ区間）においてブッシュ４０が排出口２４を閉鎖していても、内容物の排出に影響はなく、異物の除去をより一層確実に行うことができる。
【００５１】
また、この図６に示す実施の形態において、ヒンジ４６は、ブッシュ４０を排出口２４から離反するようにばね付勢し、ブッシュブレード４２（ブレード３０）は、このヒンジ４６による付勢力に抗してブッシュ４０を揺動させて排出口２４へ押し出すように設定することもできる。これにより、ブッシュブレード４２が存在しない区間においては、ブッシュ４０を排出口２４から退避させて、内容物の円滑な排出を確保することができる。
【００５２】
更に、スクレーパー進退手段２６も、必ずしも図３乃至図５に示す実施の形態に限られず、スクレーパー１６を排出区間（図２のＣ区間）において一時的にドラム１４の内周面から退避させることができれば、他の適宜の形態とすることもできる。具体的には、例えば、図７に示すように、図６に示す目詰まり解消手段であるブッシュ４０の上にスクレーパーを設置し、ブッシュ４０と同期してドラム１４の内周面に進退可能とすることもできる。この場合には、スクレーパー１６を、排出口２４を利用してこの排出口２４からドラムの内部に突出させることができるため、排出口２４とは別にスクレーパー１６が進退するための摺動孔３２を設ける必要はない。
【００５３】
この図７に示す実施の形態においても、図６に示す実施の形態と同様に、ヒンジ４６により、ブッシュ４０を介してスクレーパー１６をドラム１４の周面に形成された排出口２４から離反するようにばね付勢することにより、ブレード３０による強制力から開放された後は、スクレーパー１６をより一層確実にドラム１４の内部から退避させることができる。
【００５４】
スクレーパー進退手段２６の更に他の実施の形態としては、例えば、図８に示すように、スクレーパー支持部２８を、ドラム１４の内周面に取り付けられスクレーパー１６をドラム１４の内周面側において揺動可能に支持するヒンジ４８とすることもできる。この場合、図８に示すように、ブッシュ４０を、図６に示す目詰まり解消手段３８と同様に、ドラム１４の外周面に取り付けられたヒンジ４６により揺動可能に支持して、ブッシュブレード４２によるブッシュ４０の排出口２４への揺動によって同時にスクレーパー１６もドラム１４の内部へ向けて立脚するように設定して、スクレーパー１６をドラム１４の内周面に突出させることもできる。
【００５５】
即ち、この図８に示す実施の形態では、ブレード３０がブッシュブレード４２を兼任すると共に排出口２４がスクレーパー１６が突出するための突出孔５０を兼任し、スクレーパー１６は、ブレード３０が形成された移送区間（図２のＡ区間）においては、ブレード３０により排出口２４に押し出されたブッシュ４０を介して、排出口２４を通じてドラム１４の内周面から強制的に突出する一方、その他の区間では自由状態でヒンジ４８により揺動自在にドラム１４内部に支持されている。
【００５６】
従って、この図８に示す実施の形態では、スクレーパー１６及びヒンジ４８を排出口２４の周縁に設置し、また、ブッシュ４０の形状も、ブレード３０による揺動によりスクレーパー１６をドラム１４内部に確実に突出させることができるように、スクレーパー１６の側面を支持できる側面部４０ａを有するように形成する。なお、ブッシュ４０は、この側面部４０ａの高さ分だけ、排出口２４からドラム１４内部へ充分に突出するため、より確実異物を除去することができる。一方、この図８に示す実施の形態においては、特に、排出区間（図２のＣ区間）において、図８に示すように、スクレーパー１６が突出はしないものの排出口２４の一部を閉塞する形で存在することになるため、このブラインド部分を考慮して排出口２４の大きさを決定する。
【００５７】
加えて、スクレーパー進退手段２６の更に他の実施の形態として、図９に示すように、スクレーパー支持部を、ドラム１４の内周面に取り付けられスクレーパー１６をドラム１４の内周面側において揺動可能に支持するヒンジ４８と、スクレーパー１６の側面に取り付けられドラム１４の外側へ突出する立脚ガイド５２とすることもできる。この実施の形態においては、ブレード３０は、立脚ガイド５２に当接することにより、立脚ガイド５２をドラム１４の内側方向へ向けて押し上げ、これに連動してスクレーパー１６を立脚させてドラム１４の内周面から強制的に突出させることができる。一方、ブレード３０が存在しない区間、特に、排出区間（図２のＣ区間）においては、スクレーパー１６をドラム１４内部において倒立させて、ドラム１４の内側へ向けて突出しないようにさせることができる。なお、この図９に示す実施の形態からも解るように、目詰まり解消手段３８は、必ずしも、スクレーパー進退手段２８と一体に設けなくても良いのは勿論、設定せずに実施することもできる。
【００５８】
【発明の効果】
本発明によれば、上記のように、スクレーパーを、被処理物の上方への移送が必要な区間においてのみ突出して機能させ、その他の区間では、被処理物の落下や内容物の排出に支障のない位置に配置しているため、スクレーパーが不必要に内容物に衝撃を与えて内容物を損傷させることがなく、内容物を適切な状態で回収することができると共に、内容物が排出口に入り易くなり、内容物を円滑にかつ確実に回収することができる実益がある。
【００５９】
また、本発明によれば、上記のように、ブッシュを排出口へ押し出しているため、排出口に詰まっていた異物がドラム内に押し戻されるので、排出口の目詰まりが解消され、内容物を排出口から確実に排出して効率よく回収することができる実益がある。
【図面の簡単な説明】
【図１】本発明の被処理物の分離装置の概略全体側面図である。
【図２】本発明に用いられるスクレーパーを備えたドラムの正面図である。
【図３】本発明に用いられるスクレーパー進退手段の概略正面図である。
【図４】本発明に用いられるスクレーパー進退手段の他の実施の形態の概略正面図である。
【図５】本発明に用いられる目詰まり解消手段を示し、同図（Ａ）はその平面図、同図（Ｂ）はその側面図である。
【図６】本発明に用いられる目詰まり解消手段の他の実施の形態を示し、同図（Ａ）はその平面図、同図（Ｂ）はその側面図である。
【図７】本発明に用いられるスクレーパー進退手段及び目詰まり解消手段の更に他の実施の形態を示し、同図（Ａ）はその平面図、同図（Ｂ）はその側面図である。
【図８】本発明に用いられるスクレーパー進退手段及び目詰まり解消手段の他の実施の形態の側面図である。
【図９】本発明に用いられるスクレーパー進退手段の更に他の実施の形態の側面図である。
【符号の説明】
１０  被処理物の分離装置
１２  フレーム
１４  ドラム
１４ａ  スプロケット
１６  スクレーパー
１８  チェーン
２０  ホッパー
２２  内容物の回収口
２４  排出口
２６  スクレーパー進退手段
２８  スクレーパー支持部
３０  ブレード
３２  摺動孔
３４  スクレーパーの抜け止め
３６  ばね
３８  目詰まり解消手段
４０  ブッシュ
４０ａ  ブッシュの側面部
４２  ブッシュブレード
４４  座金
４６  ヒンジ
４８  ヒンジ
５０  突出孔
５２  立脚ガイド
【図１】
0003679093.tif 000002
【図２】
0003679093.tif 000003
【図３】
0003679093.tif 000004
【図４】
0003679093.tif 000005
【図５】
0003679093.tif 000006
【図６】
0003679093.tif 000007
【図７】
0003679093.tif 000008
【図８】
0003679093.tif 000009
【図９】
0003679093.tif 000010